(57)【要約】【課題】資産が置かれている場所を問わずに、資産の紛失を検知する。【解決手段】持ち出す管理対象物品１を持出登録端末７に申請し、資産管理サーバ３に登録する。管理対象物品１には定期的にタグＩＤ情報２１を発信するＩＣタグ２が取り付けられている。保管棚４からタグＩＤ情報２１を検知できない管理対象物品１が、全ての持出管理装置６または全ての一時退避棚５または他の全ての保管棚４においてタグＩＤ情報２１を５００ミリ秒間受信できない場合に、紛失があったと判断して警告する。【選択図】図１
2010238088.tif 000002
【特許請求の範囲】
【請求項１】
移動可能な資産ごとに装着され、当該各資産を識別する資産識別情報を記憶しており、当該資産識別情報を出力する複数の資産情報記憶手段と、
保管領域に保管されている資産に装着されている各前記資産情報記憶手段に記憶されている資産識別情報を読み取り、読み取った当該資産識別情報を出力する複数の保管資産情報処理手段と、
各前記資産情報記憶手段に記憶されている前記資産識別情報を読み取って、読み取った当該資産識別情報を出力する、移動可能な複数の携帯資産情報処理手段と、
各前記保管資産情報処理手段の出力する資産識別情報または各前記携帯資産情報処理手段の出力する資産識別情報を受信して記憶する受信資産情報記憶手段と、
管理対象の各資産の資産識別情報と、前記受信資産情報記憶手段に記憶されている前記資産識別情報とに基づいて、管理対象資産の資産識別情報であり、かつ、前記受信資産情報記憶手段に記憶されていない資産識別情報を特定し、特定した当該資産識別情報を紛失した資産の資産識別情報として出力する管理手段と、
を備えることを特徴とする資産管理システム。
【請求項２】
各前記資産情報記憶手段は、記憶している前記資産識別情報を周期的に出力し、
各前記保管資産情報処理手段は、保管領域に保管されている資産に装着されている各前記資産情報記憶手段から読み取った資産識別情報を周期的に読み取って出力し、
前記受信資産情報記憶手段は、各前記保管資産情報処理手段から周期的に出力される資産識別情報を受信して記憶し、継続して受信していた前記資産識別情報の受信が停止したことに応答して、各前記携帯資産情報処理手段に前記資産識別情報を通知し、
各前記携帯資産情報処理手段は、電源をオン・オフすることが可能であり、当該電源がオンされているときに、移動可能な資産ごとに装着されている各前記資産情報記憶手段に記憶されている資産識別情報を読み取る資産識別情報読取回路を含み、読み取った資産識別情報を周期的に出力し、当該資産識別情報読取回路の電源がオフである場合に、前記受信資産情報記憶手段から前記資産識別情報が通知されたことに応答して前記資産識別情報読取回路の電源をオンし、前記受信資産情報記憶手段から通知された前記資産識別情報と同一の資産識別情報を前記資産識別情報読取回路が所定の時間内に読み取った場合には、前記資産識別情報読取回路の電源をオンに保ち、前記受信資産情報記憶手段から通知された前記資産識別情報と同一の資産識別情報を前記資産識別情報読取回路が所定の時間内に読み取らなかった場合には、前記資産識別情報読取回路の電源をオフし、
前記受信資産情報記憶手段は、各前記携帯資産情報処理手段から周期的に出力される資産識別情報を受信して更新し、
前記管理手段は、前記受信資産情報記憶手段に記憶されている資産識別情報に基づいて、紛失した資産の資産識別情報を周期的に判別する、
ことを特徴とする請求項１に記載の資産管理システム。
【請求項３】
各前記携帯資産情報処理手段を識別する携帯資産情報処理手段識別情報と各前記携帯資産情報処理手段を携帯する人を識別する人識別情報とを紐付ける紐付手段と、
各前記保管領域に保管されている資産を持ち出すための持出申請を受け付け、当該持出申請を行う申請者を識別する申請者識別情報と持ち出される資産の資産識別情報とを対応付けて出力する持出申請処理手段と、
を備え、
各前記携帯資産情報処理手段は、当該携帯資産情報処理手段を他の携帯資産情報処理手段と識別させるための携帯資産情報処理手段識別情報を記憶しており、当該携帯資産情報処理手段識別情報と読み取った前記資産識別情報とを対応付けて出力し、
前記紐付手段は、各携帯資産情報処理手段が出力した携帯資産情報処理手段識別情報に紐付けられている人識別情報を出力し、
前記管理手段は、各前記携帯資産情報処理手段が出力した資産識別情報と前記紐付手段が出力した人識別情報との組合せと、前記持出申請処理手段が出力した申請者識別情報と資産識別情報との組み合わせとが異なるか否かを判別し、異なると判別されたことに応答して、各前記携帯資産情報処理手段が出力した資産識別情報を誤って持ち出された資産の資産識別情報として出力する、
ことを特徴とする請求項１又は２に記載の資産管理システム。
【請求項４】
前記持出申請処理手段は、現在時刻をカウントするタイマを含み、資産の持ち出しを予定する時刻を含む持出申請を受け付け、前記タイマが出力する現在時刻が前記持出申請に含まれる持ち出しを予定する時刻から所定の時間以上経過した後に、持出申請した資産が保管されている前記保管資産情報処理手段から持ち出しを予定した資産の資産識別情報を受信したことに応答して、当該持ち出しを予定した資産についての持出申請をキャンセルする、
ことを特徴とする請求項３に記載の資産管理システム。
【請求項５】
前記持出申請処理手段は、現在時刻をカウントするタイマを含み、資産の返却を予定する時刻を含む持出申請を受け付け、前記タイマが出力する現在時刻が前記持出申請に含まれる返却を予定する時刻から所定の時間以上経過した後に、前記保管資産情報処理手段から返却が予定されている資産の資産識別情報を受信しないことに応答して、当該返却が予定されている資産の資産識別情報を出力する、
ことを特徴とする請求項３に記載の資産管理システム。
【請求項６】
前記携帯資産情報処理手段は、現在時刻をカウントするタイマを含み、前記各資産情報記憶手段から読み取った前記資産識別情報を当該タイマが出力する現在時刻に対応付けてログとして保存する、
ことを特徴とする請求項１乃至５のいずれか１項に記載の資産管理システム。
【請求項７】
電源をオン・オフすることが可能であり、当該電源がオンされているときに、移動可能な資産ごとに装着されている資産情報記憶手段に記憶されている資産識別情報を読み取る資産識別情報読取回路と、
管理対象の資産の資産識別情報を受信する受信手段と、
前記資産識別情報読取回路によって読み取られた資産識別情報を出力する出力手段と、
前記資産識別情報読取回路の電源がオフである場合に、前記受信手段によって資産識別情報が受信されたことに応答して前記資産識別情報読取回路の電源をオンし、前記受信手段によって受信された資産識別情報と同一の資産識別情報を前記資産識別情報読取回路が所定の期間内に読み取った場合には、前記資産識別情報読取回路の電源をオンに保ち、前記受信手段によって受信された前記資産識別情報と同一の資産識別情報を前記資産識別情報読取回路が所定の期間内読み取らなかった場合には、前記資産識別情報読取回路の電源をオフする電源制御手段と、
を備え、
移動可能である、
ことを特徴とする携帯資産管理装置。
【請求項８】
他の携帯資産管理装置と識別させるための携帯資産管理装置識別情報を記憶する記憶手段を備え、
前記出力手段は、前記資産識別情報読取回路によって読み取られた資産識別情報と、前記記憶手段に記憶されている前記携帯資産管理装置識別情報とを対応付けて出力する、
ことを特徴とする請求項７に記載の携帯資産管理装置。
【請求項９】
現在時刻をカウントするタイマを備え、
前記資産識別情報読取回路によって読み取られた資産識別情報を前記タイマが出力する現在時刻に対応付けてログとして保存する、
ことを特徴とする請求項８又は９に記載の携帯資産管理装置。
【発明の詳細な説明】
【技術分野】
【０００１】
本発明は、資産を管理する資産管理システムおよび携帯資産管理装置に関する。
【背景技術】
【０００２】
近年、パソコンや携帯端末を紛失し、その中の記憶媒体に保存されている顧客情報や個人情報が外部に流出することが問題となっており、資産管理の徹底が求められている。
【０００３】
パソコンや携帯端末のような資産を管理するためのシステムとしては、管理対象の資産に無線ＩＣタグを取り付け、無線ＩＣタグリーダによって資産に取り付けられた無線ＩＣタグに保存された情報を読み取り、その情報により資産を管理するものが知られている。
【０００４】
例えば、特許文献１には、資産に無線ＩＣタグを取り付け、特定の領域の出入口に無線ＩＣタグリーダを備えた出入検出装置を設置し、この特定の領域から退出する人にも無線ＩＣタグを持たせることによって、資産を管理する手法が開示されている。
【０００５】
資産を持ち出す人は、この特定の領域を出る前に管理データベースに、自分の保持する無線ＩＣタグと持ち出す資産に取り付けられている無線ＩＣタグの情報を登録する。特定の領域の出入口に設置された出入検出装置によって無線ＩＣタグを持った人が無線ＩＣタグの取り付けられた資産を持って退出したことが検出されると、出入検出装置は、検出された人の保持する無線ＩＣタグと資産に取り付けられている無線ＩＣタグの情報が事前に管理データベースに登録されているか否かをチェックする。
【０００６】
出入検出装置は、これらの情報が登録されている場合には正当な持ち出しであると判断する。一方、いずれかの無線ＩＣタグの情報が登録されていない場合、出入検出装置は、不正な持ち出しであると判断する。例えば、退出する人が保持する無線ＩＣタグの情報が検出されず、持ち出された資産に取り付けられた無線ＩＣタグの情報のみが検出された場合には出入検出装置は、不正な持出であると判断する
そして、不正な持出があったと判断すると、出入検出装置は、警告音声を発声し、監視カメラに映像を撮影させる。このようにして、出入検出装置は資産の不正な持出を検出する。
【先行技術文献】
【特許文献】
【０００７】
【特許文献１】特開２００６−２６０２５４号公報
【発明の概要】
【発明が解決しようとする課題】
【０００８】
しかし、特許文献１の出入検出装置は、特定の領域の出入口でのみ不正な持ち出しを検出することができる。資産が特定の領域から持ち出された場合、資産を管理することができない。
【０００９】
本発明は、上記問題点に鑑みてなされたものであり、資産が置かれている場所を問わずに、資産の紛失を検知することができる資産管理システムおよび携帯資産管理装置を提供することを目的とする。
【課題を解決するための手段】
【００１０】
上記目的を達成するため、本発明の第一の観点に係わる資産管理システムは、
移動可能な資産ごとに装着され、当該各資産を識別する資産識別情報を記憶しており、当該資産識別情報を出力する複数の資産情報記憶手段と、
保管領域に保管されている資産に装着されている各前記資産情報記憶手段に記憶されている資産識別情報を読み取り、読み取った当該資産識別情報を出力する複数の保管資産情報処理手段と、
各前記資産情報記憶手段に記憶されている前記資産識別情報を読み取って、読み取った当該資産識別情報を出力する、移動可能な複数の携帯資産情報処理手段と、
各前記保管資産情報処理手段の出力する資産識別情報または各前記携帯資産情報処理手段の出力する資産識別情報を受信して記憶する受信資産情報記憶手段と、
管理対象の各資産の資産識別情報と、前記受信資産情報記憶手段に記憶されている前記資産識別情報とに基づいて、管理対象資産の資産識別情報であり、かつ、前記受信資産情報記憶手段に記憶されていない資産識別情報を特定し、特定した当該資産識別情報を紛失した資産の資産識別情報として出力する管理手段と、
を備えることを特徴とする。
【００１１】
また、本発明の第二の観点に係わる携帯資産管理装置は、電源をオン・オフすることが可能であり、当該電源がオンされているときに、移動可能な資産ごとに装着されている資産情報記憶手段に記憶されている資産識別情報を読み取る資産識別情報読取回路と、
管理対象の資産の資産識別情報を受信する受信手段と、
前記資産識別情報読取回路によって読み取られた資産識別情報を出力する出力手段と、
前記資産識別情報読取回路の電源がオフである場合に、前記受信手段によって資産識別情報が受信されたことに応答して前記資産識別情報読取回路の電源をオンし、前記受信手段によって受信された資産識別情報と同一の資産識別情報を前記資産識別情報読取回路が所定の期間内に読み取った場合には、前記資産識別情報読取回路の電源をオンに保ち、前記受信手段によって受信された前記資産識別情報と同一の資産識別情報を前記資産識別情報読取回路が所定の期間内読み取らなかった場合には、前記資産識別情報読取回路の電源をオフする電源制御手段と、
を備え、
移動可能である、
ことを特徴とする。
【発明の効果】
【００１２】
本発明によれば、資産が置かれている場所を問わずに、資産の紛失を検知することができる。
【図面の簡単な説明】
【００１３】
【図１】本発明の実施形態にかかる資産管理システムを示すブロック図である。
【図２】管理対象物品に取り付けたＩＣタグのタグＩＤ情報と取り付けた管理対象物品に関する情報を記録する資産管理テーブルを示す図である。
【図３】管理対象物品に取り付けたＩＣタグからタグＩＤ情報を読み取るＩＣタグリーダを設置した場所を示す情報を記録するＩＣタグリーダ管理テーブルを示す図である。
【図４】持出登録端末において登録されたグループ名とそのメンバを示す情報を記録するグループ管理テーブルを示す図である。
【図５】持出管理装置の構成を示すブロック図である。
【図６】持出登録端末の表示部に表示される持出登録端末メインメニューを表す図である。
【図７】持出登録端末の表示部に表示される持出登録申請メニューを表す図である。
【図８】保管棚または一時退避棚から管理対象物品が持ち出された場合のフローチャートである。
【図９】持ち出されたと判断された管理対象物品のタグＩＤを、持出申請者の所有する持出管理装置が受信できる場合のフローチャートである。
【図１０】持ち出されたと判断された管理対象物品が持出申請されていない場合、もしくは、持出申請者の所有する持出管理装置がタグＩＤを受信できない場合のフローチャートである。
【図１１】持ち出した後の管理対象物品の監視フローチャートである。
【発明を実施するための形態】
【００１４】
以下、本発明の実施形態に係る資産管理システムついて図面を参照して説明する。
【００１５】
本発明の実施形態に係る資産管理システム１００は、図１に示すように、管理対象物品１と、管理対象物品１に取り付けられたＩＣ（Ｉｎｔｅｇｒａｔｅｄ  Ｃｉｒｃｕｉｔ）タグ２と、資産管理サーバ３と、ＩＣタグリーダ１０−ａを備えた保管棚４と、ＩＣタグリーダ１０−ｂを備えた一時退避棚５と、ＩＣタグリーダ１０−ｃを備えた持出管理装置６と、持出登録端末７と、無線ＬＡＮ（Ｌｏｃａｌ  Ａｒｅａ  Ｎｅｔｗｏｒｋ）アクセスポイント８とを備えている。
資産管理サーバ３と保管棚４と一時避難棚５と持出登録端末７と無線ＬＡＮアクセスポイント８はネットワーク１１を介して接続されている。
なお、図１には、管理対象物品１と保管棚４と一時退避棚５と持出管理装置６は各々１個のみ記載されているが、資産管理システム１００は、管理対象物品１と保管棚４と一時退避棚５と持出管理装置６をそれぞれ複数個づつ有していても良い。
【００１６】
管理対象物品１に取り付けられたＩＣタグ２は、電源と、無線送信回路と、無線アンテナとを備えたアクティブタイプの無線ＩＣタグである。ＩＣタグ２は、１００ミリ秒毎に、ＩＣタグ２を識別するための情報であるタグＩＤ（Ｉｄｅｎｔｉｆｉｅｒ）情報２１を無線送信回路から発信する。
【００１７】
資産管理サーバ３は、ＣＰＵ（Ｃｅｎｔｒａｌ  Ｐｒｏｃｅｓｓｉｎｇ  Ｕｎｉｔ）、ＲＡＭ（Ｒａｎｄａｍ  Ａｃｃｅｓｓ  Ｍｅｍｏｒｙ）、ＲＯＭ（Ｒｅａｄ  Ｏｎｌｙ  ｍｅｍｏｒｙ）等を含む制御部と、ハードディスク装置等を含む記憶部と、ＮＩＣ（Ｎｅｔｗｏｒｋ  Ｉｎｔｅｒｆａｃｅ  Ｃａｒｄ）と、ルータ、モデム等を含む通信制御部と、現在時刻をカウントするタイマとを備えている。
資産管理サーバ３は、登録された資産を管理する。登録される資産は、例えば、ノートパソコンや携帯端末のような移動可能なものである。
資産管理サーバ３は、後述するように、図２に示す資産管理テーブル３１０と、図３に示すＩＣタグリーダ管理テーブル３２０と、図４に示すグループ管理テーブル３３０を記憶部に保存している。
【００１８】
保管棚４は、タグＩＤ情報２１を受信するＩＣタグリーダ１０−ａと、ネットワーク１１に接続するためのＮＩＣとを備えている。ＩＣタグリーダ１０−ａには、タグＩＤ情報２１を受信したＩＣタグリーダを識別するためにタグリーダＩＤ（Ｉｄｅｎｔｉｆｉｅｒ）が付与されている。
保管棚４は、保管されている複数の管理対象物品１のＩＣタグ２が送信するタグＩＤ情報２１を受信し、受信したタグＩＤ情報２１を、ネットワーク１１を介して１００ミリ秒毎に資産管理サーバ３に送信する。
【００１９】
一時退避棚５は、タグＩＤ情報２１を受信するＩＣタグリーダ１０−ｂと、ネットワーク１１に接続するためのＮＩＣとを備えている。ＩＣタグリーダ１０−ｂには、タグＩＤ情報２１を受信したＩＣタグリーダを識別するためにタグリーダＩＤが付与されている。
一時退避棚５は、ユーザが一時的に管理対象物品１から離れる時に一時保管場所として利用される。一時退避棚５は、一時的に保管されている複数の管理対象物品１のＩＣタグ２が送信する受信可能なタグＩＤ情報２１を全て受信し、受信したタグＩＤ情報２１を１００ミリ秒毎に資産管理サーバ３に送信する。
【００２０】
持出管理装置６は、後述の図５に示すように、タグＩＤ情報２１を受信するＩＣタグリーダ１０−ｃと、受信したタグＩＤ情報２１をログとして保存する読取情報保存部６１と、無線ＬＡＮアクセスポイント８と通信するための無線ＬＡＮ通信モジュール６２と、ＣＰＵ、ＲＡＭ、ＲＯＭ等を含む制御部６３と、現在時刻をカウントするタイマ６４とを備えている。ＩＣタグリーダ１０−ｃには、タグＩＤ情報２１を受信したＩＣタグリーダを識別するためにタグリーダＩＤが付与されている。
持出管理装置６は、ユーザが持ち運びできる移動可能な装置である。持出管理装置６は、電源を備えた単体の装置であっても良いし、ＩＣカードや携帯電話等の携帯型端末に組み込まれていても良い。
【００２１】
ユーザは、保管棚４から管理対象物品１を持ち出す場合には、持出管理装置６を携行する。持出管理装置６は、ユーザが持ち運んでいる管理対象物品１のＩＣタグ２から送信されるタグＩＤ情報２１を受信し、受信したタグＩＤ情報２１を無線ＬＡＮアクセスポイント８とネットワーク１１を介して１００ミリ秒毎に資産管理サーバ３に送信する。
【００２２】
持出登録端末７は、ＣＰＵ、ＲＯＭ、ＲＡＭ等を含む制御部と、ハードディスク装置等を含む記憶部と、ＮＩＣ、ルータ、モデム等を含む通信制御部と、ディスプレイ等を含む表示部、タッチパネルやキーボードを含む入力部と、現在時刻をカウントするタイマとを備えている。
ユーザは、保管棚４から管理対象物品１を持ち出す際に、持出登録端末７を用いて管理対象物品１の持出を資産管理サーバ３に申請する。
【００２３】
申請された管理対象物品１のＩＣタグ２が送信するタグＩＤ情報２１が、保管棚４のＩＣタグリーダ１０−ａ、一時退避棚５のＩＣタグリーダ１０−ｂ、および持出管理装置６のＩＣタグリーダ１０−ｃに受信される状況により、資産管理サーバ３は、申請された管理対象物品１が正当な所有者によって保持されているか、または、申請された管理対象物品１が紛失したか等を判別する。
【００２４】
次に、本発明の実施形態に係る資産管理システム１００の構成を詳細に説明する。
【００２５】
資産管理サーバ３の記憶部に保存されている資産管理テーブル３１０には、図２に示すように、ＩＣタグ２のタグＩＤ情報２１と、ＩＣタグ２の取り付けられた管理対象物品１の資産名とを紐付ける紐付情報が記録されている。また、ＩＣタグ２の取り付けられた管理対象物品１の紐付情報には、タグＩＤ情報２１を受信しているＩＣタグリーダの所在である受信場所が更に紐付けられている。受信場所には、後述する図３のＩＣタグリーダ管理テーブルにおいてタグＩＤ情報２１を受信したＩＣタグリーダのタグリーダＩＤに紐付けられるユーザ名または保管棚４の配置場所または一時退避棚５の配置場所が記録される。
【００２６】
また、持出登録端末７で持出を申請することにより、更に管理対象物品１を持ち出す予定の時刻である予定持出時間と、管理対象物品１を返却する予定の時刻である予定返却時間と、持出を申請する人（申請者）の名前である申請者名と、申請者以外に使用する可能性のあるユーザが所属するグループの名前であるグループ名が紐付けされる。
【００２７】
ＩＣタグリーダ管理テーブル３２０には、図３に示すように、持出管理装置６のＩＣタグリーダ１０−ｃのタグリーダＩＤとしても用いられるユーザＩＤと、持出管理装置６の所有者の名前を示すユーザ名とを紐付ける紐付情報と、保管棚４に取り付けられたＩＣタグリーダ１０−ａのタグリーダＩＤと保管棚４の配置場所を紐付ける紐付情報と、一時退避棚５に取り付けられたＩＣタグリーダ１０−ｂのタグリーダＩＤと一時退避棚５の配置場所を紐付ける紐付情報と、が記録されている。
【００２８】
グループ管理テーブル３３０には、図４に示すように、持出登録端末７にて登録されるグループＩＤと、申請者以外に使用する可能性のあるユーザが所属するグループの名前を示すグループ名と、グループに所属するメンバの名前を示すメンバ名とを紐付ける紐付情報が記録されている。
【００２９】
また、持出登録端末７の入力部から入力する事によって、図２の資産名、図３のユーザ名と保管棚４の配置場所と一時退避棚５の配置場所、および図４のグループ名とメンバ名を編集することができる。
【００３０】
持出管理装置６は、図５に示すように、ＩＣタグリーダ１０−ｃと、読取情報保存部６１と、無線ＬＡＮ通信モジュール６２と、制御部６３と、タイマ６４を備えている。
【００３１】
ＩＣタグリーダ１０−ｃは、管理対象物品１に取り付けられているＩＣタグ２から発信されるタグＩＤ情報２１を受信し、受信したタグＩＤ情報２１を読取情報保存部６１と制御部６３へ送信する。
【００３２】
読取情報保存部６１は、ＩＣタグリーダ１０−ｃが受信したタグＩＤ情報２１をタイマ６４によって計測される現在時刻とともにログとして保存する。
【００３３】
制御部６３は、ＩＣタグリーダ１０−ｃ、読取情報保存部６１、無線ＬＡＮ通信モジュール６２を制御する。また、制御部６３は、無線ＬＡＮ通信モジュール６２から、無線ＬＡＮアクセスポイント８を介してネットワーク１１に接続されている資産管理サーバ３と通信する。
【００３４】
持出管理装置６は、資産管理サーバ３からタグＩＤ情報２１を通知するよう要求されると、現在受信している全てのタグＩＤ情報２１を資産管理サーバ３に送信する。
【００３５】
また、持出管理装置６は、資産管理サーバ３から管理対象物品１の監視を要求されると、監視の対象である管理対象物品１のタグＩＤ情報２１を受信した場合には、読取情報保存部６１に受信したタグＩＤ情報２１をタイマ６４の計測した現在時刻とともにログとして保存する。
監視の対象である管理対象物品１から、５００ミリ秒間タグＩＤ情報２１を受信しなかった場合には、監視の対象である管理対象物品１からタグＩＤ情報２１を受信できない旨を資産管理サーバ３に通知する。
また、それまで受信できなかった監視対象の管理対象物品１のタグＩＤ情報２１を受信すると、タグＩＤ情報２１が受信できるようになった旨を資産管理サーバ３に通知する。
【００３６】
また、持出管理装置６は、資産管理サーバ３から管理対象物品１の監視の停止を要求されると、監視の停止の対象である管理対象物品１のタグＩＤ情報２１のログの保存を停止する。
【００３７】
また、持出管理装置６は、監視中に資産管理サーバ３と通信できなくなった場合、資産管理サーバ３との通信が復旧した後に、受信できない期間があった旨を通知する。更に、受信できない期間に保存したログを資産管理サーバ３に送信する。
【００３８】
保管棚４は、現在受信している全てのタグＩＤ情報２１を１００ミリ秒毎に資産管理サーバ３に送信する。
【００３９】
一時退避棚５は、ユーザが一時的に管理対象物品１から離れる時に一時保管場所として利用される。一時退避棚５は、現在受信している全てのタグＩＤ情報２１を１００ミリ秒毎に資産管理サーバ３に送信する。
【００４０】
持出登録端末７の表示部には、図６に示すメインメニュー７１０が表示されている。メインメニュー７１０には、現在どのユーザがログインしているかを示すログイン状況７１１と、タイマがカウントする現在時刻７１２と、持出登録申請窓７１３と、新規資産登録窓７１４と、資産情報編集窓７１５と、ユーザ登録・グループ登録窓７１６と、ユーザ編集・グループ編集窓７１７と、ログイン・ログアウト窓７１８とが表示される。
ユーザは、メインメニュー７１０から行いたい作業を選択する。
【００４１】
持出を申請するとき、ユーザはログイン・ログアウト窓７１８を選択し、ユーザＩＤをもってログインする。そして、ユーザが持出登録申請窓７１３を選択すると、表示部に図７に示す持出申請登録メニュー８１０が表示される。
【００４２】
表示部上の持出申請登録メニュー８１０には、ログイン状況７１１と、現在時刻７１２と、持ち出す管理対象物１を選択する資産選択窓８１１と、管理対象物品１を持ち出す予定の時刻を登録する予定持出時刻登録窓８１２と、管理対象物品１を返却する予定の時刻を登録する予定返却時刻登録窓８１３と、持ち出した管理対象物品１を引き渡すユーザがいる場合に申請者以外に使用する可能性のあるユーザが所属するグループ名を選択するユーザ・グループ窓８１４と、登録を完了する際に選択する登録ボタン８１５と、登録を中止するときに選択するメインメニューボタン８１６と、エラーなどのメッセージ８１７とが表示される。
ユーザは、持出申請登録メニュー８１０に表示される指示に従って持出を申請する。
【００４３】
例えば、予定持出時刻と予定返却時刻が入力されていないと、メッセ−ジ８１７に予定持出時刻と予定返却時刻の入力を促すエラーメッセージが表示される。ユーザは、表示されたエラーメッセージに従って予定持出時刻と予定返却時刻を入力し、再度登録ボタン８１５を選択し、登録を完了させる。
また、引き渡す可能性のあるユーザがいる場合は、引き渡す予定のユーザの属するグループを更に選択する。
【００４４】
入力を完了し登録ボタン８１５を選択すると、入力された情報は資産管理サーバ３に送信され、資産管理サーバ３に保管されている資産管理テーブル３１０が更新される。
【００４５】
新規資産登録窓７１４と、資産情報編集窓７１５と、ユーザ登録・グループ登録窓７１６と、ユーザ編集・グループ編集窓７１７においても同様の作業が可能であり、登録または編集が完了すると、登録または編集された情報は資産管理サーバ３に送信される。
【００４６】
また、持出登録端末７は、不正持出、紛失を検出したとき、アラームを鳴らすことにより警告を報知し、不正持出または紛失の情報をユーザの携帯電話やパソコンに送信して警告を報知する。
例えば、全てのＩＣタグリーダ１０−ａ、１０−ｂ、１０−ｃにおいて読み取れないタグＩＤ情報２１があると、持出登録端末７は紛失があったとして警告を報知する。
また、申請者または使用グループに属さない人の持出管理装置６のＩＣタグリーダ１０−ｃでタグＩＤ情報２１が読み取られると、持出登録端末７は誤った持ち出しがあったとして警告を報知する。
また、持出申請されていない管理対象物品１のタグＩＤ情報２１が持出管理装置６のＩＣタグリーダ１０−ｃで読み取られると、持出登録端末７は不正な持出があったとして警告を報知する。
【００４７】
また、持出申請に対して、資産管理サーバ３は、タイマ６４がカウントする現在時刻と資産管理テーブル３１０とに基づいて、管理対象物品１の持出の申請が登録されているにも関わらず、予定した時刻までに持ち出されなかった管理対象物品１を検出する。資産管理サーバ３は、予定した時刻までに持ち出されなかった管理対象物品１を検出すると、資産管理テーブル３１０の持出申請情報をキャンセルし、未登録に更新する。なお予定した時刻までに管理対象物品１が持ち出されなかったことは、タイマ６４が出力する現在時刻が持出申請に含まれる持ち出しを予定する時刻から所定の時間以上経過した後に、資産管理サーバ３が、保管棚４から持ち出しを予定した管理対象物品１のタグＩＤ情報２１を受信したことより検出する。
【００４８】
また、資産管理サーバ３は、タイマがカウントする現在時刻と資産管理テーブル３１０に基づいて、返却を予定した時刻までに返却されなかった管理対象物品１を検出する。返却を予定した時刻までに返却されなかった管理対象物品１を検出すると、資産管理サーバ３は、持出登録端末７に申請された返却予定時刻までに返却されなかった管理対象物品１がある旨を送信し、申請された返却予定時刻までに返却されなかった管理対象物品１がある旨を受信した持出登録端末７はアラームを鳴らすことによって警告を報知する。また、資産管理サーバ３は、管理対象物品１の持出を申請した申請者の携帯端末やパソコンへメールで警告を通知してもよい。
なお、返却を予定した時刻までに管理対象物品１が返却されなかった事は、資産管理サーバ３に備えられたタイマが出力する現在時刻が持出申請に含まれる返却を予定する時刻から所定の時間以上経過した後に、資産管理サーバ３は、保管棚４から返却が予定されている管理対象物品１のタグＩＤ情報２１を受信しないことにより検出する。
【００４９】
図８乃至１１に示す動作フローチャートを参照して、次に本発明の実施形態に係る資産管理システム１００の動作を説明する。
【００５０】
保管棚４は、保管棚４に保管している管理対象物品１に取り付けられたＩＣタグから送信されるタグＩＤ情報２１を受信し（ステップＳ１０１）、受信したタグＩＤ情報２１を１００ミリ秒毎に資産管理サーバ３に送信する（ステップＳ１０２）。タグＩＤ情報２１を受信した資産管理サーバ３は、保管棚４から受信しているタグＩＤ情報２１のうちで、５００ミリ秒間受信できなくなったタグＩＤ情報２１を検知すると（ステップＳ１０３）、受信できなくなったタグＩＤ情報２１を持った管理対象物品１が、持出申請されているか調べる（ステップＳ１０４）。
【００５１】
一方、一時退避棚５は、一時退避棚５が保管している管理対象物品１に取り付けられたＩＣタグから送信されるタグＩＤ情報２１を受信し（ステップＳ１０５）、受信したタグＩＤ情報２１を１００ミリ秒毎に資産管理サーバ３に送信する（ステップＳ１０６）。
【００５２】
保管棚４から５００ミリ秒間受信できないタグＩＤ情報２１をもった管理対象物品１が、持出申請されている場合（ステップＳ１０４が“ＹＥＳ”）、もしくは、資産管理サーバ３が一時退避棚５から受信しているタグＩＤ情報２１の中で、５００ミリ秒間受信できなくなったタグＩＤ情報２１を検知した場合（ステップＳ１０７）、資産管理サーバ３は、受信できなくなったタグＩＤ情報２１を持つ管理対象物品１を持出申請している申請者の所有する持出管理装置６へ、受信可能なタグＩＤ情報２１を全て受信して、受信したタグＩＤ情報２１を全て送信するよう要求する（ステップＳ１０８）。この要求を受信した持出管理装置６（ステップＳ１０９）は、ＩＣタグリーダ１０−ｃと読取情報保存部６１の電源がオフ状態であれば電源をオンし、オン状態であればＩＣタグリーダ１０−ｃと読取情報保存部６１に動作を継続させ（ステップＳ１１０）、受信可能なタグＩＤ情報２１を全て受信して（ステップＳ１１１が“ＹＥＳ”）、受信したタグＩＤ情報２１を全て資産管理サーバ３へ送信する（ステップＳ１１２）。また、持出管理装置６は、タグＩＤ情報２１を受信可能ではない場合（ステップＳ１１１が“ＮＯ”）、タグＩＤ情報２１を受信できない旨を資産管理サーバ３へ通知する（ステップＳ１１３）。
【００５３】
持出管理装置６からタグＩＤ情報２１を受信すると（ステップＳ１１４）、資産管理サーバ３は、受信したタグＩＤ情報２１が、持出申請された管理対象物品１のタグＩＤ情報２１と同じタグＩＤ情報２１であれば（ステップＳ２０１が“ＹＥＳ”）、申請者の所有する持出管理装置６へ、管理対象物品１の監視を要求する（ステップＳ２０２）。要求を受けた持出管理装置６は、管理対象物品１の監視を開始する（ステップＳ２０３）。
【００５４】
資産管理サーバ３は、申請者の持出管理装置６から受信したタグＩＤ情報２１が、持出申請された管理対象物品１のタグＩＤ情報２１とは異なるタグＩＤ情報２１であれば（ステップＳ２０１が“ＮＯ”）、持出登録端末７へ不正持出である旨を通知する（ステップＳ２０４）。不正持出である旨を受信した持出登録端末７は不正持出の警告を報知する（ステップＳ２０５）。また、資産管理サーバ３は、申請者の所有する持出管理装置６へ、申請者が不正に持出した管理対象物品１の監視を要求する（ステップＳ２０２）。要求を受けた持出管理装置６は、管理対象物品１の監視を開始する（ステップＳ２０３）。
【００５５】
資産管理サーバ３が保管棚４から受信しているタグＩＤ情報２１のうちで、５００ミリ秒間受信できなくなった管理対象物品１が持出申請されていない場合（ステップＳ１０４が“ＮＯ”）、もしくは、申請者の持出管理装置６からタグＩＤ情報２１を受信できない旨を受信した場合（ステップＳ１１５）、資産管理サーバ３は、全ての持出管理装置６に対し、受信可能なタグＩＤ情報２１を全て受信し、受信したタグＩＤ情報２１を送信するよう要求する（ステップＳ３０１）。
【００５６】
要求を受信した各持出管理装置６（ステップＳ３０２）は、ＩＣタグリーダ１０−ｃと読取情報保存部６１の電源がオフ状態であれば電源をオンし、オン状態であればＩＣタグリーダ１０−ｃと読取情報保存部６１に動作を継続させる。そして、各持出管理装置６は、受信可能なタグＩＤ情報２１を受信し、受信したタグＩＤ情報２１を資産管理サーバ３へ送信する（ステップＳ３０３）。
【００５７】
資産管理サーバ３は、持出管理装置６から受信したタグＩＤ情報２１の中で、保管棚４または一時退避棚５から５００ミリ秒間受信できなくなったタグＩＤ情報２１と同じタグＩＤ情報２１があれば（ステップＳ３０４が“ＹＥＳ”）、持出登録端末７へ不正持出があった旨を通知する（ステップＳ３０５）。不正持出があった旨を受信した持出登録端末７は不正持出の警告を報知する（ステップＳ３０６）。また、資産管理サーバ３は、不正に持ち出したユーザの持出管理装置６に対し、不正に持ち出された管理対象物品１の監視を要求する（ステップＳ３０７）。監視の要求を受信した持出管理装置６は（ステップＳ３０８が“ＹＥＳ”）、管理対象物品１の監視を開始する（ステップＳ３０９）。
【００５８】
また、持出管理装置６は、タグＩＤ情報２１の送信の要求を受信し（ステップＳ３０２）、受信可能なタグＩＤ情報２１を送信（ステップＳ３０３）後、管理対象物品１の監視の要求を所定の時間受信せず（ステップＳ３０８“ＮＯ”）、かつ、監視対象がなければＩＣタグリーダ１０−ｃと読取情報保存部６１の電源をオフする（ステップＳ３１０）。
【００５９】
資産管理サーバ３は、持出管理装置６から受信したタグＩＤ情報２１の中で、保管棚４または一時退避棚５から５００ミリ秒間受信できなくなったタグＩＤ情報２１と同じタグＩＤ情報２１がなければ（ステップＳ３０４が“ＮＯ”）、持出登録端末７へ管理対象物品１を紛失した旨を通知する（ステップＳ３１１）。この通知を受信した持出管理端末７は紛失の警告を報知する（ステップＳ３１２）。
【００６０】
以上が、保管棚４または一時退避棚５における資産管理フローチャートである。次に図１１を参照して持出管理装置６における管理対象物品１の監視フローチャートについて説明する。
【００６１】
管理対象物品１に取り付けられているＩＣタグ２からは１００ミリ秒毎にタグＩＤ情報２１が発信されている（ステップＳ４０１）。持出管理装置６は、監視している管理対象物品１に取り付けられているＩＣタグ２からタグＩＤ情報２１を受信し（ステップＳ４０２）、監視中の管理対象物品１のタグＩＤ情報２１を５００ミリ秒間受信できなくなると（ステップＳ４０３が“ＹＥＳ”）、監視中の管理対象物品１のタグＩＤ情報２１が受信できない旨を、資産管理サーバ３へ通知する（ステップＳ４０４）。
【００６２】
資産管理サーバ３は、持出管理装置６から監視中の管理対象物品１のタグＩＤ情報２１が受信できない旨を受信すると（ステップＳ４０５）、資産管理テーブル３１０を参照し、受信できなくなったタグＩＤ情報２１を保管棚４もしくは一時退避棚５から受信しているか確認する（ステップＳ４０６）。持出管理装置６が受信できないタグＩＤ情報２１を保管棚４もしくは一時退避棚５から受信していれば、（ステップＳ４０６が“ＹＥＳ”）、資産管理サーバ３は、該当の管理対象物品１を監視していた持出管理装置６に該当の管理対象物品１の監視の停止を要求する（ステップＳ４０７）。要求を受信した持出管理装置６は、監視を停止するように要求された管理対象物品１の監視を終了する（ステップＳ４０８）。
また、監視の停止を受信し、該管理対象物品１の監視を終了した（ステップＳ４０８）持出管理装置６は、他に監視中の管理対象物品１があれば（ステップＳ４０９が“ＹＥＳ”）、監視を続行し（ステップＳ４１０）、監視中の管理対象物品１がなければ（ステップＳ４０９が“ＮＯ”）、ＩＣタグリーダ１０−ｃと読取情報保存部６１の電源をオフし、監視を終了する（ステップＳ４１１）
【００６３】
持出管理装置６が受信できなくなったタグＩＤ情報２１を、保管棚４と一時退避棚５とのどちらからも受信できていない場合（ステップＳ４０６が“ＮＯ”）、資産管理サーバ３は、全ての持出管理装置６に対し、受信可能なタグＩＤ情報２１を全て受信し、受信したタグＩＤ情報２１を資産管理サーバ３に送信するよう要求する（ステップＳ４１２）。
【００６４】
各持出管理装置６は、資産管理サーバ３からタグＩＤ情報２１の送信を要求されると（ステップＳ４１３）、ＩＣタグリーダ１０−ｃと読取情報部６１の電源がオフならこれらの電源をオンする。ＩＣタグリーダ１０−ｃと読取情報部６１の電源がオンならそのまま継続してこれらの電源をオンに保つ。そして、各持出管理装置６は、受信可能なタグＩＤ情報２１を全て受信し、受信したタグＩＤ情報２１を資産管理サーバ３へ送信する（ステップＳ４１４）。
【００６５】
資産管理サーバ３は、持出管理装置６からタグＩＤ情報２１を受信すると、受信したタグＩＤ情報２１の中で、持ち出された管理対象物品１のタグＩＤ情報２１と同じタグＩＤ情報２１があるか否かを調べる（ステップＳ４１５）。
【００６６】
持ち出された管理対象物品１のタグＩＤ情報２１と同じタグＩＤ情報２１があると、（ステップＳ４１５が“ＹＥＳ”）、資産管理サーバ３は、該当するタグＩＤ情報２１を送信した持出管理装置６が、持出申請時に登録された引き渡しグループに所属するユーザの所持する持出管理装置６であるか否かを調べる（ステップＳ４１６）。
【００６７】
該当するタグＩＤ情報２１を送信した持出管理装置６が、持出申請時に登録された引き渡しグループに所属するユーザの所持する持出管理装置６であった場合（ステップＳ４１６が“ＹＥＳ”）、資産管理サーバ３は、該当のタグＩＤ情報２１を受信可能な持出管理装置６に管理対象物品１の監視を要求し（ステップＳ４１７）、該当のタグＩＤ情報２１を受信できなくなった持出管理装置６に管理対象物品１の監視の停止を要求する（ステップＳ４１８）。
【００６８】
管理対象物品１の監視の要求を受信した（ステップＳ４１９が“ＹＥＳ”）持出管理装置６は、管理対象物品１の監視を開始し（ステップＳ４２０）、管理対象物品１の監視の要求を受信しなかった（ステップＳ４１９“ＮＯ”）持出管理装置６は、監視対象がなければ一定時間後にＩＣタグリーダ１０−ｃと読取情報保存部６１の電源をオフする（ステップＳ４２１）。
また、管理対象物品１の監視の停止を受信し、該管理対象物の監視を終了した（ステップＳ４０８）持出管理装置６は、他に監視中の管理対象物品１があれば（ステップＳ４０９が“ＹＥＳ”）、監視を続行し（ステップＳ４１０）、監視中の管理対象物品１がなければ（ステップＳ４０９が“ＮＯ”）、ＩＣタグリーダ１０−ｃと読取情報保存部６１の電源をオフして監視を終了する（ステップＳ４１１）。
【００６９】
ただし、引き渡しグループに所属しないユーザの所持する持出管理装置６から、要求したタグＩＤ情報２１を受信した場合（ステップＳ４１６が“ＮＯ”）には、資産管理サーバ３は持出登録端末７へ不正持出があった旨を通知する（ステップＳ４２２）。不正持出があった旨を通知された持出登録端末７は不正持出の警告を報知する（ステップＳ４２３）。
【００７０】
また、資産管理サーバ３は、該当のタグＩＤ情報２１を受信可能な持出管理装置６に管理対象物品１の監視を要求し（ステップＳ４１７）、該当のタグＩＤ情報２１を受信できなくなった持出管理装置６に管理対象物品１の監視の停止を要求する（ステップＳ４１８）。
【００７１】
管理対象物品１の監視の要求を受信した（ステップＳ４１９が“ＹＥＳ”）持出管理装置６は、管理対象物品１の監視を開始し（ステップＳ４２０）、管理対象物品１の監視の要求を受信しなかった（ステップＳ４１９“ＮＯ”）持出管理装置６は、監視対象がなければ一定時間後にＩＣタグリーダ１０−ｃと読取情報保存部６１の電源をオフして監視を終了する（ステップＳ４２１）。
【００７２】
資産管理サーバ３が全ての持出管理装置６から受信したタグＩＤ情報２１の中で、持出管理装置６が監視中に受信できなくなったタグＩＤ情報２１と同じタグＩＤ情報２１がない場合（ステップＳ４１５が“ＮＯ”）には、持出登録端末７へ管理対象物品１が紛失した旨を通知する（ステップＳ４２４）。通知を受けた持出登録端末７は紛失の警告を報知する（ステップＳ４２５）。
【００７３】
また、資産管理サーバ３は、タグＩＤ情報２１を受信できなくなった持出管理装置６に、紛失した管理対象物品１の監視の停止を要求する（ステップＳ４１６）。要求を受けた持出管理装置６は紛失した管理対象物品１の監視を終了する（ステップＳ４０８）。
また、管理対象物品１の監視の停止を受信し、該管理対象物品１の監視を終了した（ステップＳ４０８）持出管理装置６は、他に監視中の管理対象物品１があれば（ステップＳ４０９が“ＹＥＳ”）、監視を続行し（ステップＳ４１０）、監視中の管理対象物品１がなければ（ステップＳ４０９が“ＮＯ”）、ＩＣタグリーダ１０−ｃと読取情報保存部６１の電源をオフして監視を終了する（ステップＳ４１１）。
【００７４】
以上図面を参照して本発明の実施形態について詳述してきたが、具体的な構成はこの実施形態に限られるものではなく、この発明の趣旨を逸脱しない範囲の設計変更等も含まれる。
【００７５】
なお、上記実施形態において、保管棚や一時退避場所は１００ミリ秒毎にタグＩＤ情報を資産管理サーバに送信していたが、送信する時間の間隔は１００ミリ秒に限られるわけではなく、任意に調整することができる。
【００７６】
また、管理対象物品に取り付けられるＩＣタグは、１００ミリ秒毎にタグＩＤ情報を発信するアクティブタイプのＩＣタグであったが、送信する時間の間隔は１００ミリ秒に限られるわけではなく、任意に調整することができる。
【００７７】
また、資産管理サーバは５００ミリ秒間受信できないタグＩＤ情報を検出していたが、検出する時間の間隔は５００ミリ秒に限られず、保管棚や一時退避場所が定期的に送信する時間より長ければ、使用者が任意に調整することができる。
【００７８】
上記実施形態において、ＩＣタグは、内部に電源を有しているアクティブタイプであったが、アクティブタイプに限定されず、ＩＣタグの内部に電源を持たず、ＩＣタグリーダが発信する電波を受け、その磁界によってコイル状のアンテナに電流を発生させて動作するパッシブタイプのＩＣタグであってもよい。
【００７９】
本実施形態において、保管棚は保管棚単体として説明したが、管理対象物品を保管可能であり、保管してある管理対象物品に取り付けられているＩＣタグのタグＩＤ情報を受信できればよく、金庫や倉庫など保管庫に、ＩＣタグリーダと受信したタグＩＤ情報を資産管理サーバに送信する機能とを付加して使用してもよい。
【００８０】
また、一時避難棚は一時避難棚単体として説明したが、一時的に管理対象物品を保管でき、保管している管理対象物品に取り付けられているＩＣタグのタグＩＤ情報を受信できればよく、机や棚に、ＩＣタグリーダと受信したタグＩＤ情報を資産管理サーバに送信する機能とを付加して一時避難場所として使用してもよい。
【００８１】
また、持出登録端末はタッチパネルを備えたパソコン端末として説明したが、持出登録端末はタッチパネルを備えるパソコン端末に限定されず、マウスやキーボードをインターフェースに備えるパソコン端末や、ユーザのバーコードやＩＣチップを読み取ることでログインを行うことができるパソコン端末であってもよい。また上記実施形態では持出申請は持出登録端末から行うが、各ユーザの所有するパソコンや携帯端末から持出申請を行っても良い。
【００８２】
また、上記実施形態では、持出登録端末を単体として説明したが、単体である必要はなく、持出登録端末は資産管理サーバに組み込まれていてもよい。
【００８３】
本発明によれば、資産が置かれている場所を問わずに、資産の不正持出と紛失を検知することができる。
また、上記実施形態においては、携帯電話やノートパソコンのように個人情報を内部に保存している資産の管理について説明したが、本発明はプロジェクターのような資産や倉庫内の在庫の管理に適用することもできる。
【００８４】
倉庫内の在庫管理の場合、在庫にＩＣタグをつけ、在庫の種類によって決まった保管場所にＩＣタグリーダをつけ、在庫を取り出す者は持出管理装置を所持し、在庫を取り出す際は持出登録端末にて持出登録をし、在庫が出荷された際はその在庫は管理対象から抹消される。
【００８５】
これによって、常にどの在庫がどこにあるかを検知でき、資産管理サーバにて在庫管理を行うことができる。また、紛失や不正持出を検出でき、商品在庫を厳重に保管することが可能になる。
【００８６】
また、本発明は企業や販売店の棚卸しにも適用することができる。この場合、棚卸し対象物にＩＣタグをつけ、保管場所にＩＣタグリーダをつけ、持出管理装置を社員カードに組み込ませる。持ち出す必要のあるものは持出登録端末にて持出申請し、棚卸し対象物はＩＣタグリーダが備えられた規定の保管場所に保管する。
【００８７】
これによって、常に棚卸しをしているのと同じ効果を得られ、かつ、棚卸し対象物を取り出したり収納しなおしたりする必要がなくなる。
【符号の説明】
【００８８】
１  管理対象物品
２  ＩＣタグ
３  資産管理サーバ
４  保管棚
５  一時退避棚
６  持出管理装置
７  持出登録端末
８  無線ＬＡＮアクセスポイント
１０  ＩＣタグリーダ
１１  ネットワーク
２１  タグＩＤ情報
６１  読取情報保存部
６２  無線ＬＡＮ通信モジュール
６３  制御部
６４  タイマ
１００  資産管理システム
３１０  資産管理テーブル
３２０  ＩＣタグリーダ管理テーブル
３３０  グループ管理テーブル
【図１】
2010238088.tif 000003
【図２】
2010238088.tif 000004
【図３】
2010238088.tif 000005
【図４】
2010238088.tif 000006
【図５】
2010238088.tif 000007
【図６】
2010238088.tif 000008
【図７】
2010238088.tif 000009
【図８】
2010238088.tif 000010
【図９】
2010238088.tif 000011
【図１０】
2010238088.tif 000012
【図１１】
2010238088.tif 000013